(57)【特許請求の範囲】
【請求項１】
鉄骨造による鉄骨躯体と、ツーバイフォー工法パネルによる床パネルと壁パネルとを有し、前記鉄骨躯体と前記床パネルとが剛固に接続され、前記壁パネルは、前記床パネルに接合されるが、前記鉄骨躯体とは非接合である建物であって、
階上の前記床パネルが、前記鉄骨躯体の柱の位置より屋外側に張り出しており、該床パネルの張り出し部をバルコニー床とするか、または部屋の拡張部床とすることを特徴とする建物。
【請求項２】
前記壁パネルの上部には、前記鉄骨躯体の大梁の高さ寸法に相当する幅の繋ぎパネルが接合されていることを特徴とする請求項１に記載の建物。
【発明の詳細な説明】
【０００１】
【発明の属する技術分野】
この発明は、戸建て住宅等の建物に関し、特に、鉄骨躯体とツーバイフォー工法パネルとを使用するハイブリッド工法による建物に関するものである。
【０００２】
【従来の技術】
戸建て住宅等の建物として、ツーバイフォー工法パネルを使用するツーバイフォー工法による建物が知られている。該ツーバイフォー工法による建物は、床パネルの外縁部に壁パネルを立て、階上荷重、屋根荷重を壁パネルで受け持つ枠組壁構造の建物であり、断熱性、気密性、遮音性に優れている。
この反面、ツーバイフォー工法による建物は、壁パネルによって階上荷重、屋根荷重を受け持つため、大きい窓や入口を取ること、及び大きい部屋を設けることができず、間取り設定の自由度に欠けると云う欠点がある。また、構造強度の観点から２階建てが限度であり、３階建てとすると、相当の補強を施こす必要がある。
【０００３】
このようなことから、鉄骨躯体とツーバイフォー工法パネルとを使用し、階上荷重、屋根荷重をラーメン構造による鉄骨躯体によって受け持つようにしたハイブリッド工法の建物が提案されており、これは、特開平６−１３６８３１号公報に示されている。
【０００４】
【発明が解決しようとする課題】
上述のようなハイブリッド工法による建物は、ツーバイフォー工法による建物の問題点を解消する。しかし、鉄骨躯体の層間変位が壁パネルに直接伝わると、地震等によって大きい振動エネルギが建物に作用し、壁パネルに亀裂や破損が生じ易いと云う問題が生じる。
この発明は、上述の如き問題点を解消するためになされたもので、鉄骨躯体とツーバイフォー工法パネルとを使用するハイブリッド工法による建物において、鉄骨躯体の層間変位が壁パネルに直接伝わることがなく、壁パネルに亀裂や破損が生じ難い構造の建物を提供することを目的としている。
【０００５】
【課題を解決するための手段】
上述の目的を達成するために、請求項１に記載の発明による建物は、鉄骨造による鉄骨躯体と、ツーバイフォー工法パネルによる床パネルと壁パネルとを有し、前記鉄骨躯体と前記床パネルとが剛固に接続され、前記壁パネルは、前記床パネルに接合されるが、前記鉄骨躯体とは非接合であり、階上の前記床パネルが、前記鉄骨躯体の柱の位置より屋外側に張り出しており、該床パネルの張り出し部をバルコニー床とするか、または部屋の拡張部床とすることを特徴としている。
この構成によれば、鉄骨躯体には床パネルが接続され、壁パネルは床パネルに接合されているが、鉄骨躯体とは切り離されており、鉄骨躯体の層間変位が壁パネルに直接伝わることがなく、階上の床パネルを鉄骨躯体の柱の位置より屋外側に張り出して、この床パネルの張り出し部をバルコニー床とするか、または部屋の拡張部床として床パネルの張り出し部上に部屋を拡張構築することを選択できる。
【０００７】
請求項２に記載の発明による建物は、前記壁パネルの上部には、前記鉄骨躯体の大梁の高さ寸法に相当する幅の繋ぎパネルが接合されているものである。
この構成によれば、壁パネルと繋ぎパネルとの接合パネルによって外壁等を構成することができる。
【０００８】
【発明の実施の形態】
以下に添付の図を参照してこの発明の実施の形態を詳細に説明する。
図１はこの発明による建物の一つの実施の形態を示している。この建物は、３建ての建物であり、鉄骨用基礎１上に立設された角形鋼等による１階柱２、２階柱３、３階柱４と、各階の柱間に掛け渡されたＨ形鋼等による１階大梁５、２階大梁６、３階大梁７とを有するラーメン構造の鉄骨躯体１０を軸組み工法等により構築されている。
【０００９】
各階には、ツーバイフォー工法パネルによる構造用合板製の床パネル１１，１２，１３が設けられ、該各床パネルには、それぞれ１階床根太１１ａ、２階床根太１２ａ、３階床根太１３ａが設けられている。床パネル１１及び１階床根太１１ａは、鉄骨躯体１０とボルト等により剛固に接合されていると共に、束石１４、床づか１５、大引１６を使用した木造建築工法により地面より支持されている。床パネル１２及び２階床根太１２ａ、床パネル１３及び３階床根太１３ａは、１階大梁５、２階大梁６の上部にあり、鉄骨躯体１０とボルト等により剛固に接合され、ブレースを使用することなく、剛床とされている。
【００１０】
各階の床パネル１１、１２、１３及び床根太１１ａ、１２ａ、１３ａは、各階の鉄骨躯体１０の柱２、３、４より屋外側に持ち出されており、この持ち出し部分にツーバイフォー工法パネルによる構造用合板製あるいは石膏ボード製の各階の外壁パネル１７、１８、１９が、前記柱２,３,４と間隔を置いて立てられている。
１階の外壁パネル１７の下部には土台２０が連結され、土台２０は壁用基礎２１より支持されている。
【００１１】
外壁パネル１７、１８、１９の上部には、鉄骨躯体１０の各階の大梁５、６、７の高さ寸法に相当する幅の繋ぎパネル２２、２３、２４が頭つなぎ等により接合されており、１、２階の外壁パネル１７、１８は繋ぎパネル２２、２３を介して２階床根太１２ａ、３階床根太１３ａとそれぞれ接合され、３階の外壁パネル１９は繋ぎパネル２４を介して頭つなぎ２５によって図示されていない屋根パネルと接合されている。これらパネル同士の接合は、ツーバイフォー工法で一般的に使用されている接合工法により行うことができるものである。
【００１２】
上述のように、各階の外壁パネル１７、１８、１９は、床パネル１１、１２、１３とは接合されているが、鉄骨躯体１０とは接合されておらず、鉄骨躯体１０の層間変位が外壁パネル１７、１８、１９に直接伝わらない構造になっている。１階、２階の床パネル１１、１２の柱２，３の位置から屋外側への持ち出し寸法（張り出し寸法）は、外壁パネル１７、１８のパネル厚さに相当する寸法になっている。これに対し、３階床パネル１３は柱４の位置から屋外側への持ち出し寸法は、バルコニー設置のために、１メートル程度持ち出されており、該床パネル１３の該張り出し部をバルコニー床２６としている。バルコニー床２６の外縁にはバルコニー手摺２７が立てられる。
【００１３】
なお、３階大梁７上には、図示されていないが、鉄骨造あるいは木造の屋根が付けられる。また、各階の大梁５、６、７には、図示されていないが、それぞれ天井仕上げラインＣＬをもって各階の天井パネルが吊り下げ式に取り付けられる。
上述の構成による建物では、各階の外壁パネル１７、１８、１９は、床パネル１１、１２、１３とは接合されているが、鉄骨躯体１０とは接合されていないから、鉄骨躯体１０の層間変位が外壁パネル１７、１８、１９に直接伝わることがなく、地震等によって大きい振動エネルギが建物に作用しても、外壁パネル１７、１８、１９に亀裂や破損が生じることがない。
【００１４】
これにより、高断熱、高気密、高遮音と云うツーバイフォー工法の建物の利点を活かして、ツーバイフォー工法の建物の欠点である、大きい窓や入口を取れない、大きい部屋を取ることができず、間取り設定の自由度に欠けると云う欠点を排除して、耐震性に優れた建物が得られ、この建物は、準耐火構造の建物として３階建てとすることができる。また、外壁パネル１７、１８、１９によって断熱を取り、鉄骨躯体１０を保護でき、優れた耐久性を得ることもできる。
【００１５】
また、繋ぎパネル２２、２３、２４の使用により、外壁パネル１７、１８、１９は一般規格品のツーバイフォー工法パネルを使用することができる。
また、階上の床パネル１３及び床根太１３ａが鉄骨躯体１０の柱１７、１８、１９の位置より屋外側に張り出し、この床パネル１３及び床根太１３ａの張り出し部をバルコニー床２６とすることにより、特別なバルコニー床構造を必要することなくバルコニーを簡単に設置できる。
【００１６】
なお、床パネル１３及び床根太１３ａの張り出し部は、バルコニー床２６以外に、図２に示されているように、３階の部屋の拡張部床２８とし、３階の外壁パネル１９を拡張部床２８の外縁にずらして設け、柱４の上部に小梁２９を取り付けることで、３階の部屋をオーバハング式に拡張することもでき、バルコニーと部屋拡張とを選択することができる。
また、図３に示されているように、床パネル１１及び１階床根太１１ａの設置をせずに、１階部分を玄関やインナガレージにすることもできる。
【００１７】
【発明の効果】
以上の説明から理解される如く、請求項１に記載の発明による建物によれば、鉄骨造による鉄骨躯体と、ツーバイフォー工法パネルによる床パネルと壁パネルとを有し、鉄骨躯体と床パネルとが剛固に接続され、壁パネルは床パネルに接合され、鉄骨躯体とは非接合である構成としたので、鉄骨躯体の層間変位が壁パネルに直接伝わることがなく、高断熱、高気密、高遮音と云うツーバイフォー工法の建物の利点を活かして、ツーバイフォー工法の建物の欠点である、大きい窓や入口を取れない、大きい部屋を取ることができず、間取り設定の自由度に欠けると云う欠点を排除した上で、耐震性に優れた建物が得られ、また、壁パネルによって断熱を取り、鉄骨躯体を保護でき、優れた耐久性を得ることもできる。さらに、階上の床パネルを鉄骨躯体の柱の位置より屋外側に張り出して、この床パネルの張り出し部をバルコニー床とするか、または部屋の拡張部床として床パネルの張り出し部上に部屋を拡張構築することを選択できる。
【００１８】
請求項２に記載の発明による建物は、壁パネルの上部に鉄骨躯体の大梁の高さ寸法に相当する幅の繋ぎパネルが接合されている構成としたので、壁パネルと繋ぎパネルとの接合パネルによって外壁等が構成され、一般規格品のツーバイフォー工法パネルを使用することができる。
【図面の簡単な説明】
【図１】この発明による建物の実施の形態を示す要部の断面図である。
【図２】この発明による建物の他の実施の形態を要部を示す断面図である。
【図３】この発明による建物の他の実施の形態を要部を示す断面図である。
【符号の説明】
１  鉄骨用基礎
２、３、４  柱
５、６、７  大梁
１０  鉄骨躯体
１１、１２、１３  床パネル
１１ａ、１２ａ、１３ａ  床根太
１４  束石
１５  床づか
１６  大引
１７、１８、１９  外壁パネル
２０  土台
２１  壁用基礎
２２、２３、２４  繋ぎパネル
２５  頭つなぎ
２６  バルコニー床
２７  バルコニー手摺
２８  拡張部床
２９  小梁
【図１】
0003766227.tif 000002
【図２】
0003766227.tif 000003
【図３】
0003766227.tif 000004